(57)【特許請求の範囲】
【請求項１】
前払い金にて商品の販売を行う自動販売機において、複数利用者の前払い金の管理を行う情報センターと、予め利用者が携帯端末で前記情報センターを利用するためのパスワードを入力した後に購入金額や購入商品等の希望する購入形態を選択することにより、情報センターから利用者を特定するユーザーＩＤや選択した購入形態に対する情報等が含まれたワンタイムパスワードを入力するワンタイムパスワード入力手段と、収納商品の搬出を行う制御手段と、前記情報センターと通信網を介し各種情報の送受信を行う情報通信手段と、利用者が購入を希望する商品の選択をおこなう商品選択手段とを設け、前記情報通信手段を介し入力された利用者ＩＤ情報に対する前払い金額を取得し記憶する前払い金記憶手段と、前記商品選択手段にて選択された商品価格と前記前払い金記憶手段に記憶している前払い金額から販売可能かを判定する販売可能判定手段と、前記販売可能判定手段の判定結果より前払い金額から商品価格分を受領した残金と前記ワンタイムパスワード入力手段にて入力されたワンタイムパスワードを記憶する販売結果記憶手段とを備えた主制御部とからなり、前記主制御部は前記ワンタイムパスワード入力手段にてワンタイムパスワードが入力されると、前記情報通信手段にて前記情報センターから入力された利用者ＩＤ情報に対する前払い金額を取得し、前記商品選択手段にて商品が選択された場合、前記販売可能判定手段にて販売可能かを判定し可能であれば、その残金とワンタイムパスワードを前記販売結果記憶手段に一旦記憶し、前記制御手段にて商品搬出を行った後、前記情報通信手段にて前記販売結果記憶手段に記憶している内容を前記情報センターへ送信することを特徴とする自動販売機の制御装置。
【発明の詳細な説明】
【０００１】
【発明の属する技術分野】
本発明は、利用者が現金やプリペイドカードを使用することなくキャッシュレスで商品購入や各種サービス提供を受けることができる自動販売機の制御装置に関するものである。
【０００２】
【従来の技術】
従来の自動販売機では、商品を購入する利用者との間における当該商品の対価の決済は、自動販売機に現金又はプリペイドカードなどの現金に準ずるものを投入することにより行われていた。
【０００３】
【発明が解決しようとする課題】
しかしながら、上記従来の自動販売機では、利用者が常に現金やプリペイドカードなどを携帯していなくてはならず、利用者にとって利便性に欠けるという欠点があった。一方、現金やプリペイドカードの真偽を識別する装置を搭載する必要があるため、自動販売機が高価なものになるという欠点もある。
【０００４】
本発明は従来の課題を解決するもので、現金又はプリペイドカードなど使用することなくキャッシュレスでの商品販売や各種サービス提供を受けることができる自動販売機の制御装置を提供することである。
【０００５】
【課題を解決するための手段】
本発明の請求項１に記載の発明は、複数利用者の前払い金の管理を行う情報センターと、予め利用者が携帯端末で前記情報センターを利用するためのパスワードを入力した後に購入金額や購入商品等の希望する購入形態を選択することにより、情報センターから利用者を特定するユーザーＩＤや選択した購入形態に対する情報等が含まれたワンタイムパスワードを入力するワンタイムパスワード入力手段と、収納商品の搬出を行う制御手段と、情報センターと通信網を介し各種情報の送受信を行う情報通信手段と、利用者が購入を希望する商品の選択をおこなう商品選択手段と、情報通信手段を介し入力された利用者ＩＤ情報に対する前払い金額を取得し記憶する前払い金記憶手段と、商品選択手段にて選択された商品価格と前払い金記憶手段に記憶している前払い金額から販売可能かを判定する販売可能判定手段と、販売可能判定手段の判定結果から前払い金額から商品価格分を受領した残金とワンタイムパスワード入力手段にて入力されたワンタイムパスワードを記憶する販売結果記憶手段とを備えた主制御部とからなり、主制御部はワンタイムパスワード入力手段にてワンタイムパスワードが入力されると、情報通信手段にて情報センターから入力された利用者ＩＤ情報に対する前払い金額を取得し、商品選択手段にて商品が選択された場合、販売可能判定手段にて販売可能かを判定し可能であれば、その残金とワンタイムパスワードを販売結果記憶手段に一旦記憶し、制御手段にて商品搬出を行った後、情報通信手段にて販売結果記憶手段に記憶している内容を情報センターへ送信するとしたものであり、現金又はプリペイドカードなど使用することなくキャッシュレスで商品を販売することができるとともに、ワンタイムパスワードを利用して、利用者の利便性を高めることができるという作用を有する。
【０００９】
【発明の実施の形態】
以下、本発明による自動販売機の制御装置の実施の形態について、図面を参照しながら説明する。
【００１０】
（実施の形態１）
図１は、本発明の実施の形態１によるネットワークを介して前払い金にて商品販売を行うキャッシュレスシステムのシステムフローである。図２は同実施の形態の自動販売機の制御装置の機能ブロック図である。図３は、同実施の形態の動作を示すフローチャートである。
【００１１】
図１において、１は複数利用者の前払い金を管理する情報センター、２はネットワークを介して情報センター１で管理している前払い金にて商品の販売を行う自動販売機である。まず利用者は情報センター１に予め預けている前払い金にて商品を購入するため、利用者の携帯端末にて情報センター１を利用するためのパスワードを入力した後、購入金額や購入商品等の希望する購入形態を選択することにより、情報センター１から利用者を特定するユーザーＩＤや選択した販売形態に対する情報等が含まれたワンタイムパスワード（本発明の請求項においてはパスワードと称する。）を取得する。次に利用者は情報センター１から取得したワンタイムパスワードを自動販売機２に入力すると、自動販売機２は情報センター１に入力されたワンタイムパスワードを送信し、入力されたワンタイムパスワードに含まれる情報に従い商品を販売可能とする。利用者が販売可能となった商品を選択すると、自動販売機２は商品代価の精算、商品搬出、商品販売後の残金等の表示を行うとともに、情報センター１にその販売結果を送信することによりネットワークを介した前払い金による商品販売を行うキャッシュレスシステムを構成する。
【００１２】
以上のように構成されたキャッシュレスシステムにおいて、以下その自動販売機の制御装置の機能ブロックを図２を参照して説明する。
【００１３】
図２において、３は情報センター１から発行された利用者を特定する利用者ＩＤ情報を含むパスワードを入力するパスワード入力手段、４は収納商品の搬出を行う制御手段、５は情報センター１と通信網を介し各種情報の送受信を行う情報通信手段、６は利用者が購入を希望する商品の選択をおこなう商品選択手段、７は情報通信手段５を介し入力された利用者ＩＤ情報に対する前払い金額を取得し記憶する前払い金記憶手段、８は商品選択手段６にて選択された商品価格と前払い金記憶手段７に記憶している前払い金額から販売可能かを判定する販売可能判定手段、９は販売可能判定手段８の判定結果より前払い金額から商品価格分を受領した残金とパスワード入力手段３にて入力されたパスワードを記憶する販売結果記憶手段、１０は前払い金記憶手段７、販売可能判定手段８、販売結果記憶手段９を備えた主制御部である。
【００１４】
以上のように構成された自動販売機の制御装置について、以下その動作を図３のフローチャートを参照して説明する。
【００１５】
まず、ステップＳ１１でパスワード入力手段３にてパスワードが入力されたかを判定しパスワードが入力された場合、ステップＳ１２で情報通信手段５にて情報センター１から前払い金額を取得する。次に、ステップＳ１３で商品選択手段６にて商品が選択されたかを判定し選択された場合、ステップＳ１４で販売可能判定手段８にて選択された商品が販売可能かを判定する。販売可能であればステップＳ１５でその残金とパスワードを販売結果記憶手段９に記憶し、ステップＳ１６で制御手段４にて商品搬出を行う。その後、ステップＳ１７で情報通信手段５にて販売結果記憶手段９に記憶している内容を情報センター１へ送信する。
【００１６】
以上のように本実施の形態の自動販売機の制御装置は、パスワード入力手段３にてパスワードが入力されると、情報通信手段５にて情報センター１から入力された利用者ＩＤ情報に対する前払い金額を取得し、商品選択手段６にて商品が選択された場合、販売可能判定手段８にて販売可能かを判定し可能であれば、その残金とパスワードを販売結果記憶手段９に一旦記憶し、制御手段４にて商品搬出を行った後、情報通信手段５にて販売結果記憶手段９に記憶している内容を情報センター１へ送信するようにしているので、利用者は商品搬出後の自動販売機と情報センターの交信を待つことなく、利用者が予め入金している前払い金により商品を購入することができる。
【００１７】
（実施の形態２）
図４は、本発明の実施の形態２による自動販売機の制御装置の機能ブロック図である。図５は、同実施の形態の動作を示すフローチャートである。
【００１８】
図４において、１ａは複数利用者の前払い金の管理を行う情報センター、３ａは情報センター１ａから発行された利用者を特定する利用者ＩＤ情報と前払い金額を含むパスワードを入力するパスワード入力手段、１１はパスワード入力手段３ａにて入力されたパスワードを記憶するパスワード記憶手段、４は収納商品の搬出を行う制御手段、５ａは情報センター１ａと通信網を介し各種情報の送受信を行う情報通信手段、６は利用者が購入を希望する商品の選択をおこなう商品選択手段、８ａは商品選択手段６にて選択された商品価格とパスワード記憶手段１１に記憶している前払い金額から販売可能かを判定する販売可能判定手段、９ａは販売可能判定手段８ａの判定結果より前払い金額から商品価格分を受領した残金を記憶する販売結果記憶手段、１０ａはパスワード記憶手段１１、販売可能判定手段８ａ、販売結果記憶手段９ａを備えた主制御部である。
【００１９】
以上のように構成された自動販売機の制御装置について、以下その動作を図５のフローチャートを参照して説明する。
【００２０】
まず、ステップＳ２１で、パスワード入力手段３ａにてパスワードが入力されたかを判定しパスワードが入力された場合、ステップＳ２２で商品選択手段６にて商品が選択されたかを判定する。次に商品が選択された場合、ステップＳ２３で販売可能判定手段８ａにて選択された商品が販売可能かを判定し販売可能であれば、ステップＳ２４で情報通信手段５にて販売結果記憶手段９ａに記憶している残金とパスワード記憶手段１１に記憶している利用者ＩＤ情報を情報センター１ａへ送信する。次に、ステップＳ２５で情報センター１ａからの送信完了データの取得待ちとなり、送信完了データを取得した場合、ステップＳ２６で制御手段４にて商品搬出を行う。
【００２１】
以上のように本実施の形態の自動販売機の制御装置は、パスワード入力手段３ａにてパスワードが入力され、商品選択手段６にて商品が選択された場合、販売可能判定手段８ａにて販売可能かを判定し可能であれば、情報通信手段５ａにて販売結果記憶手段９ａに記憶している残金とパスワード記憶手段１１に記憶している利用者を特定する利用者ＩＤ情報を情報センター１ａへ送信し、送信が完了した後、制御手段４にて商品搬出を行うようにしているので、自動販売機は商品購入前に情報センターに前払い金額の確認を行う交信を行う必要がなく、前払い金により商品を購入するための情報センターとの交信回数を１回ですませることができる。
【００２２】
（実施の形態３）
図６は、本発明の実施の形態３による自動販売機の制御装置の機能ブロック図である。図７は、同実施の形態の動作を示すフローチャートである。
【００２３】
図６において、１ｂは複数利用者の前払い金の管理と精算を行う情報センター、３ｂは情報センター１ｂから発行された利用者を特定する利用者ＩＤ情報と購入希望商品を特定する商品ＩＤ情報を含むパスワードを入力するパスワード入力手段、１１ｂはパスワード入力手段３ｂにて入力された情報を記憶するパスワード記憶手段、１２は収納商品の価格を記憶する価格記憶手段、１３は収納商品の売切れを判定する売切れ判定手段、４は収納商品の搬出を行う制御手段、５ｂは情報センター１ｂと通信網を介し各種情報の送受信を行う情報通信手段、１０ｂはパスワード記憶手段１１ｂ、価格記憶手段１２、売切れ判定手段１３を備えた主制御部である。
【００２４】
以上のように構成された自動販売機の制御装置について、以下その動作を図７のフローチャートを参照して説明する。
【００２５】
まず、ステップＳ３１でパスワード入力手段３ｂにてパスワードが入力されたかを判定しパスワードが入力された場合、ステップＳ３２で入力された商品ＩＤ情報から購入希望商品が売切れでないかを判定する。次に商品が売切れでない場合、ステップＳ３３で情報通信手段５ｂにてパスワード記憶手段１１ｂに記憶している利用者を特定する利用者ＩＤ情報と価格記憶手段１２に記憶している購入希望商品の価格を情報センター１ｂへ送信する。次にステップＳ３４で情報センター１ｂからの販売許可情報が受信できるまで待機し、ステップ３５で販売許可を受信した場合、ステップＳ３６で制御手段４にて商品搬出を行う。
【００２６】
以上のように本実施の形態の自動販売機の制御装置は、パスワード入力手段３ｂにてパスワードが入力され、購入希望商品が売切れでない場合、情報通信手段５ｂにてパスワード記憶手段１１ｂに記憶している利用者を特定する利用者ＩＤ情報と価格記憶手段１２に記憶している購入希望商品の価格を情報センター１ｂへ送信し、情報センター１ｂから販売許可情報を受信した後、制御手段４にて商品搬出を行うようにしているので、利用者は自動販売機で改めて商品選択を行う必要がなく、利用者が希望する商品を誤りなく購入することができる。
【００２７】
（実施の形態４）
図８は、本発明の実施の形態３による自動販売機の制御装置の機能ブロック図である。図９は、同実施の形態の動作を示すフローチャートである。
【００２８】
図８において、１ｃは複数利用者の前払い金の管理と精算を行う情報センター、１４は利用者が保有する通信端末を接続する通信端末接続手段、３ｃは情報センター１ｃとの通信を可能とする利用者を特定する利用者ＩＤ情報を含むパスワードを入力するパスワード入力手段、６ｃは利用者が購入を希望する商品の選択をおこなう商品選択手段、１２ｃは収納商品の価格を記憶する価格記憶手段、１３ｃは収納商品の売切れを判定する売切れ判定手段、４は収納商品の搬出を行う制御手段、１５は商品購入を決定する購入決定入力手段、５ｃは情報センター１ｃと通信端末接続手段１４に接続された通信端末を介し各種情報の送受信を行う情報通信手段、１０ｃは価格記憶手段１２ｃ、売切れ判定手段１３ｃ、情報通信手段５ｃを備えた主制御部である。
【００２９】
以上のように構成された自動販売機の制御装置について、以下その動作を図９のフローチャートを参照して説明する。
【００３０】
まず、ステップＳ４１で通信端末接続手段１４（例えば携帯電話に標準的に準備されているシリアル通信コネクタに接続可能なコネクタ）に通信端末が接続されると、ステップＳ４２で売切れでない商品を販売可能とする。次にステップＳ４３で商品選択手段６ｃにて商品が選択されたかを判定し選択された場合、ステップＳ４４でパスワード入力手段３ｃにてパスワードが入力されたかを判定する。次にパスワードが入力されると、ステップＳ４５で購入決定入力手段が操作されたかを判定し操作された場合、ステップＳ４６で情報通信手段５ｃはパスワード入力手段３ｃにて入力されたパスワードと価格記憶手段１２ｃに記憶している選択された商品の価格を情報センター１ｃへ送信する。次にステップＳ４７で情報センター１ｃからの販売許可情報が受信できるまで待機し、ステップ４８で販売許可を受信した場合、ステップＳ４９で制御手段４にて商品搬出を行う。
【００３１】
以上のように本実施の形態の自動販売機の制御装置は、通信端末接続手段１４に通信端末が接続されると、売切れでない商品を販売可能とする。商品選択手段６ｃにて商品が選択され、パスワード入力手段３ｃにてパスワードが入力され、購入決定入力手段１５が操作された場合、情報通信手段５ｃよりパスワード入力手段３ｃにて入力されたパスワードと価格記憶手段１２ｃに記憶している選択された商品の価格を情報センター１ｃへ送信し、情報センター１ｃから販売許可情報を受信した後、制御手段４にて商品搬出を行うようにしているので、自動販売機に情報センターと交信する通信端末がなても前払い金により商品を購入することができ、また利用者は商品購入前に前もって情報センターから商品購入のためのパスワード等を入手しないでも商品購入をすることができる。
【００３２】
【発明の効果】
以上説明したように請求項１に記載の発明は、予め利用者が携帯端末で前記情報センターを利用するためのパスワードを入力した後に購入金額や購入商品等の希望する購入形態を選択することにより、情報センターから利用者を特定するユーザーＩＤや選択した購入形態に対する情報等が含まれたワンタイムパスワードが入力されると、情報通信手段にて情報センターから入力された利用者ＩＤ情報に対する前払い金額を取得し、商品選択手段にて商品が選択された場合、販売可能判定手段にて販売可能かを判定し可能であれば、その残金とワンタイムパスワードを販売結果記憶手段に一旦記憶し、制御手段にて商品搬出を行った後、情報通信手段にて販売結果記憶手段に記憶している内容を情報センターへ送信するようにしたので、利用者は商品搬出後の自動販売機と情報センターの交信を待つことなく、利用者が予め入金している前払い金により商品を購入することができ、現金又はプリペイドカードなど使用することなくキャッシュレスで商品を販売することができる。また、利用者の利便性を高めることができる。
【図面の簡単な説明】
【図１】本発明によるネットワークを介して前払い金にて商品販売を行うキャッシュレスシステムの実施の形態１のシステムフロー図
【図２】同実施例の自動販売機の制御装置の機能ブロック図
【図３】同実施例の自動販売機の制御装置の動作を示すフローチャート
【図４】本発明による自動販売機の制御装置の実施の形態２の機能ブロック図
【図５】同実施例の自動販売機の制御装置の動作を示すフローチャート
【図６】本発明による自動販売機の制御装置の実施の形態３の機能ブロック図
【図７】同実施例の自動販売機の制御装置の動作を示すフローチャート
【図８】本発明による自動販売機の制御装置の実施の形態４の機能ブロック図
【図９】同実施例の自動販売機の制御装置の動作を示すフローチャート
【符号の説明】
１，１ａ，１ｂ，１ｃ    情報センター
２  自動販売機
３，３ａ，３ｂ，３ｃ    パスワード入力手段
４    制御手段
５，５ａ，５ｂ，５ｃ    情報通信手段
６，６ｃ    商品選択手段
７    前払い金記憶手段
８，８ａ    販売可能判定手段
９，９ａ    販売結果記憶手段
１０，１０ａ，１０ｂ，１０ｃ    主制御装置
１１，１１ｂ  パスワード記憶手段
１２，１２ｃ  価格記憶手段
１３，１３ｃ  売切れ判定手段
１４  通信端末接続手段
１５  購入決定入力手段
【図１】
0004196048.tif 000002
【図２】
0004196048.tif 000003
【図３】
0004196048.tif 000004
【図４】
0004196048.tif 000005
【図５】
0004196048.tif 000006
【図６】
0004196048.tif 000007
【図７】
0004196048.tif 000008
【図８】
0004196048.tif 000009
【図９】
0004196048.tif 000010